(57)【要約】  工具容器アセンブリは、本体（１０１）、拡張部分（１１７）、及び締結部材を備える。本体は、底部（１０２）、側部（１０７）、及び、底部と側部とによって形成された空洞部へのアクセスを実現する頂部（１０８）を有する。拡張部分（１１７）は、頂部（１０８）に作動的に接続されており、この拡張部分は、遠位端部分（１１８）を有する。締結部材は、遠位端部分に作動的に接続されており、この締結部材は、開放位置及び閉鎖位置を有する。開放位置は、空洞部へのアクセスを可能にする開口部を形成し、閉鎖位置は、その開口部を閉鎖することにより、空洞部へのアクセスを妨げる。閉鎖位置は、開放容易位置及び開放困難位置を含む。【選択図】図２
2017534470.tif 000002
【特許請求の範囲】
【請求項１】
底部、側部、及び前記底部と前記側部とによって形成された空洞部へのアクセスを実現する頂部を有する本体と、
前記頂部に作動的に接続され、遠位端部分を有する拡張部分と、
前記遠位端部分に作動的に接続され、開放位置及び閉鎖位置を有する締結部材であって、前記開放位置は、前記空洞部へのアクセスを可能にする開口部を形成し、前記閉鎖位置は、前記開口部を閉鎖することにより、前記空洞部へのアクセスを妨げる、締結部材とを備える工具容器アセンブリ。
【請求項２】
前記閉鎖位置は、開放容易位置及び開放困難位置を含む、請求項１に記載の工具容器アセンブリ。
【請求項３】
前記本体の前記頂部の対向側面に作動的に接続された、第１の端部及び第２の端部を有する、細長部材を更に備えている、請求項１に記載の工具容器アセンブリ。
【請求項４】
前記細長部材の中間部分に作動的に接続された、接続具を更に備えている、請求項３に記載の工具容器アセンブリ。
【請求項５】
前記側部及び前記拡張部分のうちの少なくとも一方に作動的に接続された取り付け部材を更に備える、請求項１に記載の工具容器アセンブリ。
【請求項６】
前記取り付け部材は、リング部分を含む、請求項５に記載の工具容器アセンブリ。
【請求項７】
ストラップが、前記側部及び前記拡張部分のうちの前記少なくとも一方と、前記リングとを相互接続する、請求項６に記載の工具容器アセンブリ。
【請求項８】
前記ストラップは、弾性材料で作製されている、請求項７に記載の工具容器アセンブリ。
【請求項９】
前記締結部材は、フック部分及びループ部分を含み、前記フック部分及び前記ループ部分は、前記拡張部分の前記遠位端部分の対向側面に、作動的に接続されている、請求項１に記載の工具容器アセンブリ。
【請求項１０】
第１のハンドル及び第２のハンドルを更に備え、前記第１のハンドル及び前記第２のハンドルは、前記拡張部分の前記遠位端部分の前記対向側面に作動的に接続されている、請求項９に記載の工具容器アセンブリ。
【請求項１１】
第１のインジケータ、第２のインジケータ、第３のインジケータ、及び第４のインジケータを更に備え、前記第１のインジケータ及び前記第３のインジケータは、前記遠位端部分の、一方の側面上に位置決めされ、前記第２のインジケータ及び前記第４のインジケータは、他方の側面上に位置決めされ、前記第１のインジケータ及び前記第２のインジケータは、少なくとも部分的に整合されることにより、前記第１のハンドルと前記第２のハンドルとが少なくとも部分的に整合されて、前記拡張部分は開放容易位置に位置決めされ、前記第３のインジケータ及び前記第４のインジケータは、少なくとも部分的に整合されることにより、前記第１のハンドルと前記第２のハンドルとがずらされて、前記拡張部分は開放困難位置に位置決めされる、請求項１０に記載の工具容器アセンブリ。
【請求項１２】
前記第１のインジケータ及び前記第２のインジケータは、第１の色付きタブであり、前記第３のインジケータ及び前記第４のインジケータは、第２の色付きタブである、請求項１１に記載の工具容器アセンブリ。
【請求項１３】
前記締結部材は、引き紐及び係合部材を含み、前記係合部材と前記引き紐との摩擦は、前記引き紐を所望の位置に保持する助けとなり、前記引き紐に力が加えられる場合に、前記係合部材を介して前記引き紐が移動することを可能にする、請求項１に記載の工具容器アセンブリ。
【請求項１４】
フック部材及びリング部材を含む係止部材を更に備え、前記フック部材及び前記リング部材のうちの一方は、前記係合部材の近位で、前記遠位端部分に作動的に接続されており、前記フック部材及び前記リング部材のうちの他方は、前記係合部材の対向側面上で、前記遠位端部分に作動的に接続されている、請求項１３に記載の工具容器アセンブリ。
【請求項１５】
前記空洞部内部に適合するように構成及び配置された挿入具を更に備え、前記挿入具は、少なくとも半剛性であり、複数のポケットを含む、請求項１に記載の工具容器アセンブリ。
【発明の詳細な説明】
【背景技術】
【０００１】
工具及び小部品などの落下物は、作業現場で、特に、作業者が高所で仕事を実行しており、それらの作業者の下方に他の作業者が位置している場合に、危険を伴う恐れがある。多くの作業者は、様々な工具、小部品、及び他の物品を作業現場に運搬するために、バケツ又は袋などの、工具容器を使用する。一般に、それらのバケツ又は袋は、ロープを使用して、作業現場に持ち上げられる。しかしながら、このことは、その持ち上げるプロセスの間に、バケツ又は袋が満杯に積載されている場合、あるいは、それらが構造物に引っ掛かる場合には、傾斜する可能性があることにより、内容物がこぼれ出るという問題を提示する。既存の閉鎖アセンブリは、操作が困難であるため、作業者は、それらの閉鎖アセンブリを使用しない傾向がある。更には、作業者は、工具、小部品、及び他の物品を、非使用時には、足場、設備、及び他の表面上に置いたまま放置する傾向がある。このこともまた、それらの工具又は小部品が、偶発的に衝突するか又は他の方式で移動される場合に、それらが落下して、その作業現場の下方に位置する作業者を負傷させる恐れがあるため、問題を提示する。
【０００２】
上述の理由により、また、本明細書を読了し理解することで当業者には明らかとなるであろう、以下で述べる他の理由により、運搬中のバケツ又は袋から、工具、小部品、及び他の物品が脱落することを防止するための、操作が容易な、バケツ又は袋用の閉鎖アセンブリ、並びに、工具、小部品、及び他の物品の落下を防止するための、テザーアセンブリが、当該技術分野において必要とされている。
【発明の概要】
【０００３】
先行の装置に関連付けられる上述の問題点は、本発明の実施形態によって対処されるものであり、本明細書を読了し理解することによって、理解されるであろう。以下の概要は、例示としてなされるものであり、限定するものではない。この概要は、単に、本発明の態様のうちの一部を読者が理解することを支援するために提供されるものに過ぎない。
【０００４】
一実施形態では、工具容器アセンブリは、本体、拡張部分、及び締結部材を備える。本体は、底部、側部、及び、底部と側部とによって形成された空洞部へのアクセスを実現する頂部を有する。拡張部分は、頂部に作動的に接続されており、この拡張部分は、遠位端部分を有する。締結部材は、遠位端部分に作動的に接続されており、この締結部材は、開放位置及び閉鎖位置を有する。開放位置は、空洞部へのアクセスを可能にする開口部を形成し、閉鎖位置は、その開口部を閉鎖することにより、空洞部へのアクセスを妨げる。
【０００５】
一実施形態では、閉鎖位置は、開放容易位置及び開放困難位置を含む。
【０００６】
一実施形態では、工具容器アセンブリは、本体、拡張部分、締結部材、ハンドル、及びインジケータを備える。本体は、底部、側部、及び、底部と側部とによって形成された空洞部へのアクセスを実現する頂部を有する。拡張部分は、頂部に作動的に接続されており、この拡張部分は、遠位端部分を有する。締結部材は、遠位端部分に作動的に接続されており、この締結部材は、開放位置及び閉鎖位置を有する。開放位置は、空洞部へのアクセスを可能にする開口部を形成し、閉鎖位置は、その開口部を閉鎖することにより、空洞部へのアクセスを妨げる。第１のハンドル及び第２のハンドルは、拡張部分の遠位端部分の対向側面に、作動的に接続されている。第１のインジケータ及び第３のインジケータが、一方の側面上に位置決めされ、第２のインジケータ及び第４のインジケータが、遠位端部分のもう一方の側面上に位置決めされている。第１のインジケータ及び第２のインジケータが、少なくとも部分的に整合されることにより、第１のハンドルと第２のハンドルとが少なくとも部分的に整合されて、拡張部分が開放容易位置に位置決めされ、第３のインジケータ及び第４のインジケータが、少なくとも部分的に整合されることにより、第１のハンドルと第２のハンドルとがずらされて、拡張部分が開放困難位置に位置決めされる。
【０００７】
一実施形態では、工具容器アセンブリは、本体、拡張部分、及び締結部材を備える。本体は、底部、側部、及び、底部と側部とによって形成された空洞部へのアクセスを実現する頂部を有する。拡張部分は、頂部に作動的に接続されており、この拡張部分は、遠位端部分を有する。締結部材は、遠位端部分に作動的に接続されており、この締結部材は、開放位置及び閉鎖位置を有する。開放位置は、空洞部へのアクセスを可能にする開口部を形成し、閉鎖位置は、その開口部を閉鎖することにより、空洞部へのアクセスを妨げる。締結部材は、引き紐及び係合部材を含む。この係合部材と引き紐との摩擦が、引き紐を所望の位置に保持する助けとなり、その引き紐に力が加えられる場合に、係合部材を介して引き紐が移動することを可能にする。
【図面の簡単な説明】
【０００８】
本発明は、「発明を実施するための形態」及び以下の図に照らして考察する場合に、より容易に理解することができ、更なる利点及びその用途が、より容易に明らかとなり得る。
【０００９】
【図１】本発明の原理に従って構築された、工具容器アセンブリの正面図である。
【００１０】
【図２】図１に示される工具容器アセンブリの側面図である。
【００１１】
【図３】図１に示される工具容器アセンブリの側部の内側表面の平面図である。
【００１２】
【図４】図３に示される側部の側面図である。
【００１３】
【図５】図３に示される側部の外側表面の平面図である。
【００１４】
【図６】図１に示される工具容器アセンブリの底部支持体の外側表面の平面図である。
【００１５】
【図７】図６に示される底部支持体の側面図である。
【００１６】
【図８】図６に示される底部支持体の内側表面の平面図である。
【００１７】
【図９】図１に示される工具容器アセンブリの一部分を切り欠いた底面図である。
【００１８】
【図１０】底部層が縫い付けられておらず、折り返されていない、図９の線１０−１０に沿った断面図である。
【００１９】
【図１１】本発明の原理に従って構築された、別の実施形態の工具容器アセンブリの正面図である。
【００２０】
【図１２】第１の整合位置を示す、図１１に示される工具容器アセンブリの頂部部分の平面図である。
【００２１】
【図１３】第２の整合位置を示す、図１１に示される工具容器アセンブリの頂部部分の平面図である。
【００２２】
【図１４】図１２に示される第１の整合位置を示す概略上面図である。
【００２３】
【図１５】図１３に示される第２の整合位置を示す概略上面図である。
【００２４】
【図１６】本発明の原理に従って構築された工具容器アセンブリで使用するための、任意選択的な挿入具の内側表面の平面図である。
【００２５】
【図１７】図１６に示される任意選択的な挿入具の側面図である。
【００２６】
【図１８】図１６に示される任意選択的な挿入具の外側表面の平面図である。
【００２７】
【図１９】本発明の原理に従って構築された、別の実施形態の工具容器アセンブリの側部の内側表面の平面図である。
【００２８】
【図２０】図１９に示される側部の側面図である。
【００２９】
【図２１】本発明の原理に従って構築された、工具容器アセンブリの正面図である。
【００３０】
【図２２】図２１に示される工具容器アセンブリの側面図である。
【００３１】
【図２３】図２１に示される工具容器アセンブリの締結部材及び係止部材の諸部分の正面図である。
【００３２】
【図２４】図２１に示される工具容器アセンブリの拡張部分の外側表面の平面図である。
【００３３】
【図２５】図２４に示される拡張部分の側面図である。
【００３４】
【図２６】図２４に示される拡張部分の内側表面である。
【００３５】
【図２７】図２１に示される工具容器アセンブリの側部の内側表面の平面図である。
【００３６】
【図２８】図２７に示される側部の側面図である。
【００３７】
【図２９】図２７に示される側部の外側表面の平面図である。
【００３８】
【図３０】図２１に示される工具容器アセンブリの、開放位置での拡張部分の概略図である。
【００３９】
【図３１】図２１に示される工具容器アセンブリの、開放困難位置での拡張部分の概略図である。
【００４０】
一般的慣行に従って、説明される様々な特徴部は、一定の縮尺で描かれておらず、本発明に関連する特定の特徴部を強調するように描かれている。参照文字は、これらの図及びテキストの全体を通して、同様の要素を示す。
【発明を実施するための形態】
【００４１】
以下の「発明を実施するための形態」では、本明細書の一部を構成し、本発明を実践することが可能な実施形態が例として示される、添付図面が参照される。これらの実施形態は、本発明を当業者が実践することを可能にするために、十分詳細に説明されるものであり、本発明の趣旨及び範囲から逸脱することなく、他の実施形態を利用することが可能であり、機械的変更を加えることができる点を理解されたい。それゆえ、以下の「発明を実施するための形態」は、限定的な意味で解釈されるべきではなく、本発明の範囲は、「特許請求の範囲」及びその等価物によってのみ定義される。
【００４２】
本発明の実施形態は、全般的に、本体、拡張部分、及び締結部材を備える、工具容器アセンブリを提供する。本体は、底部、側部、及び、底部と側部とによって形成された空洞部へのアクセスを実現する頂部を有する。拡張部分は、頂部に作動的に接続されており、この拡張部分は、遠位端部分を有する。拡張部分及び締結部材は、閉鎖アセンブリの一部である。締結部材は、遠位端部分に作動的に接続されており、この締結部材は、開放位置及び閉鎖位置を有する。開放位置は、空洞部へのアクセスを可能にする開口部を形成し、閉鎖位置は、その開口部を閉鎖することにより、空洞部へのアクセスを妨げる。閉鎖位置は、開放容易位置及び開放困難位置を含む。締結部材は、面ファスナ、複数のスナップ、引き紐、バックル、及び他の好適な締結具からなる群からの、任意の好適な締結具とすることができる。
【００４３】
更には、本発明の実施形態は、全般的に、工具、小部品、及び他の物品を工具容器アセンブリに相互接続するように構成並びに配置された、テザーアセンブリを、任意選択的に提供する。更には、本発明の実施形態はまた、全般的に、更なる収納及び整理の選択肢を提供するように構成並びに配置された、挿入具も、任意選択的に提供する。
【００４４】
図１〜図１０に示される一実施形態では、工具容器アセンブリ１００は、底部１０２、側部１０７、及び頂部１０８を有する、本体１０１を含む。底部１０２、側部１０７、及び頂部１０８は、頂部１０８によって形成された開口部を通じてアクセス可能な、空洞部１０９を形成する。リム１１９が、頂部１０８及びその開口部に構造を提供する助けとなるように、頂部１０８に作動的に接続されている。側部１０７のスリーブ状拡張部である、拡張部分１１７は、頂部１０８に作動的に接続されており、遠位端部分１１８を含む。底部支持体１１０は、底部１０２と側部１０７とを相互接続するために使用することができ、このアセンブリの底部の近位を補強するために使用することができる。
【００４５】
底部１０２は、好ましくはターポリンで作製された第１の層１０３、好ましくはハードボードで作製された第２の層１０４、好ましくはターポリンで作製された第３の層１０５、及び好ましくはＰＶＣレザーで作製された第４の層１０６を含む。底部支持体１１０は、ターポリンで作製された内側層１１０ａ、及びターポリンで作製された外側層１１０ｂを含み得る。底部１０２を、図９及び図１０に示す。図９では、第１の層１０３、第３の層１０５、及び第４の層１０６が、折り返されて縫い付けられていることにより、第３の層１０５を隠しており、図１０では、第１の層１０３、第３の層１０５、及び第４の層１０６は、縫い付けられておらず、折り返されていない。側部１０７、頂部１０８、及び拡張部分１１７は、好ましくはキャンバスで作製される。リム１１９は、好ましくは、側部１０７の頂部折り返し縁部内に位置決めされており、限定するものではないが、この容器の頂部を比較的剛性にする、約１インチ（２．５センチメートル）の幅の、成型プラスチック、ナイロン管材、鋼、又は木材などの、任意の好適な材料とすることができる。所望される耐久性に従って、種々の材料で作製された、より少ない層又はより多くの層を、これらの構成要素のうちのいずれかに関して使用可能である点が、認識されよう。
【００４６】
好ましくはウェビング又はロープで作製された、細長部材１１１は、第１の端部１１２と第２の端部１１３とを相互接続する、中間部分１１４を含む。側部１０７の一方の側面の近位では、第１の補強部材１１２ａを、頂部１０８の近位の側部１０７に作動的に接続することができ、側部１０７の対向側面の近位では、第２の補強部材１１３ａを、頂部１０８の近位の側部１０７に、作動的に接続することができる。補強部材１１２ａ及び補強部材１１３ａは、端部１１２及び端部１１３が接続されている、より強固な区域を提供する。例えば、補強部材１１２ａ及び補強部材１１３ａは、レザーなどの、より強固な材料で作製することができ、対応の端部２１２及び端部２１３が挿通される、開口を含み得るものであり、それらの端部は、次いで、好ましくは縫製又は任意の他の好適な固定部材によって、それらの端部自体に固定されることによりループを形成し、このループを通って、リム１１９が延在する。接続具１１５、例えばカラビナを、中間部分１１４に接続することにより、このアセンブリを、ホイストライン、係留構造体などに接続する方法を、提供することができる。
【００４７】
第１のハンドル１２１が、遠位端部分１１８の第１の外側面に、作動的に接続されており、第２のハンドル１２２が、遠位端部分１１８の、概して対向する第２の外側面に、作動的に接続されている。ハンドル１２１及びハンドル１２２は、ハンドル取り付け部１２３で、対応の側面に接続されており、ハンドル取り付け部１２３は、この実施形態では、図３及び図５に示されるような、ハンドルに対する内側面１２３ａを有する囲みＸ型縫目パターンである。ハンドル１２１及びハンドル１２２、あるいは細長部材１１１を使用して、このアセンブリを持ち運ぶことが可能である。締結部材１２４は、遠位端部分１１８の第１の内側面と第２の内側面とを、相互接続する。この実施形態では、ループ部分１２５が、一方の内側面に作動的に接続されており、フック部分１２６が、概して対向する内側面に、作動的に接続されている。
【００４８】
遠位端部分１１８は、開放位置、又は閉鎖位置（この実施形態では図示せず）に位置決めすることが可能な開口部を形成する。開放位置では、この開口部は、空洞部１０９へのアクセスを実現する。閉鎖位置では、この開口部は、締結部材１２４によって概ね閉鎖されることにより、空洞部１０９へのアクセスを妨げる。開放容易位置及び開放困難位置の、２つの閉鎖位置が存在する。これらの２つの閉鎖位置は、同様の実施形態の工具容器アセンブリ１００’で、より詳細に説明される。
【００４９】
遠位端部分１１８はまた、所望の閉鎖位置に遠位端部分１１８を位置決めする助けとなるインジケータも含む。一般には、第１の対のインジケータが、開放容易位置のために整合され、第２の対のインジケータが、開放困難位置のために整合される。例えば、この実施形態では、第１のインジケータ１３１は、第１のハンドル１２１の第１の端部の近位に存在し、第２のインジケータ１３２は、第２のハンドル１２２の第１の端部の近位に存在し、第３のインジケータ１３３は、第１のハンドル１２１の第２の端部の近位に存在し、第４のインジケータ１３４は、第２のハンドル１２２の第２の端部から離れた距離に位置決めされている。他の好適なタイプのインジケータを使用することもできる点が、認識されよう。
【００５０】
任意選択的な取り付け部材１３６は、好ましくは、任意の好適な工具用ランヤードを接続することが可能なリング又はフックである、係合部分１３７と、好ましくは、ナイロンのウェビング又は弾性材料であり、係合部分１３７と本体１０１、好ましくは側部１０７の内側表面とを相互接続する、ストラップ１３８とを含む。この取り付け部材１３６を、図３に示す。
【００５１】
図１１に示される、同様の実施形態の工具容器アセンブリ１００’では、閉鎖アセンブリ及び更なる特徴部が説明されるが、工具容器アセンブリ１００と実質的に同様の特徴部は、説明されない。
【００５２】
細長部材１１１’は、各端部の近位に結び目若しくは止め具１１１ａ’を有する、紐又はロープとすることができ、この結び目又は止め具１１１ａ’は、それらの端部が、補強部材１１２ａ’及び補強部材１１３ａ’内の対応の開口を通って滑り落ちることを防止するものであり、好ましくは、リム１１９’の下方に位置決めされる。
【００５３】
任意選択的な取り付け部材１３６’は、好ましくは、任意の好適な工具用ランヤードを接続することが可能なリング又はフックである、係合部分と、好ましくは、ナイロンのウェビング又は弾性材料であり、係合部分と本体、好ましくは側部の内側表面とを相互接続する、ストラップとを含む。この取り付け部材１３６’は、図１１に示され、取り付け部材１３６のように上向きではなく、概して下向きに延びている。別の実施形態の取り付け部材１３６’’が、図１９及び図２０に示される。
【００５４】
拡張部分１１７’の遠位端１１８’は、工具容器アセンブリ１００と同様に、ハンドル１２１’及びハンドル１２２’と、ループ部分１２５’及びフック部分１２６’を含む締結部材１２４’とを含むものであり、２つの閉鎖位置１２９ａ’及び閉鎖位置１２９ｂ’が、図１２〜図１５に示される。この閉鎖アセンブリに関しては、開放容易位置１２９ａ’が、図１２及び図１４に示され、開放困難位置１２９ｂ’が、図１３及び図１５に示される。好ましくは、第１のインジケータ１３１’及び第２のインジケータ１３２’は、それぞれ第１の色付きタブであり、第３のインジケータ１３３’及び第４のインジケータ１３４’は、それぞれ第２の色付きタブである。例えば、第１の色付きタブは、開放容易位置１２９ａ’を示す緑色とすることができ、第２の色付きタブは、開放困難位置１２９ｂ’を示す赤色とすることができる。
【００５５】
この実施形態では、第１のインジケータと第２のインジケータとが、図１２及び図１４に示されるように、少なくとも部分的に整合するか又は重なり合う場合、第１のハンドル１２１’の端部と第２のハンドル１２２’の端部とは、それらのハンドルの端部を遠位端部分１１８’に固定している、ハンドル取り付け部（この実施形態では、囲みＸ型縫目パターン）を含めて、少なくとも部分的に整合するか又は重なり合う。この実施形態では、それらのハンドルに対するハンドル取り付け部の内側面は、開放容易位置１２９ａ’で、互いに対して左右のいずれかの位置に位置決めされる場合に、互いから１．５０インチ（３．８０センチメートル）の範囲内であることが好ましい。対応するハンドル取り付け部が、この位置で、互いに近位に定置される場合、それらは、一般に、ユーザがハンドル１２１’及びハンドル１２２’を引っ張る場所の近位に、締結部材１２４’内の脆弱部分を作り出し、このことにより、締結部材１２４’を、軽減された労力で分離させることが可能となる。換言すれば、このことは、締結部材１２４’を、開放容易位置１２９ａ’に位置決めするものであるが、これは、ユーザの手を使用する、てこの作用が、ハンドル１２１’とハンドル１２２’とを容易に引き離すことにより、締結部材１２４’のループ部分１２５’とフック部分１２６’とを、容易に分離させるためである。
【００５６】
第３のインジケータと第４のインジケータとが、図１３及び図１５に示されるように、少なくとも部分的に整合するか又は重なり合う場合、第１のハンドル１２１’と第２のハンドル１２２’とは、少なくとも部分的に整合することも、又は重なり合うこともない。この実施形態では、この配置が好ましいものであるが、それらのハンドルに対するハンドル取り付け部の内側面が、互いから１．５０インチ（３．８０センチメートル）を超えるいずれの配置も、このアセンブリを開放困難位置１２９ｂ’に位置決めするものであることが認識されよう。このことは、締結部材１２４’を、開放困難位置１２９ｂ’に位置決めするものであるが、これは、ユーザの手を使用する、てこの作用が、ハンドル１２１’とハンドル１２２’とを、またそれにより締結部材１２４’を、引き離すことができないためである。むしろ、ユーザは、対向側面の間に形成された間隙１３０’内に、自身の指を定置して、締結部材１２４’のループ部分１２５’とフック部分１２６’とを強制的に引き離す。これらの２つの異なる閉鎖位置は、異なる状況の中で有益である。例えば、輸送中には、内容物がこぼれ出る結果をもたらす、このアセンブリの偶発的な開放を防止するために、締結部材１２４’を、開放困難位置１２９ｂ’に位置決めすることが望ましい場合があり、使用中には、仕事を実行している間、内容物がこぼれ出ることを防止しつつ、内容物への容易なアクセスを可能にするために、締結部材１２４’を、開放容易位置１２９ａ’に位置決めすることが望ましい場合がある。
【００５７】
換言すれば、開放困難位置１２９ｂ’では、締結部材１２４’は、分離が困難であることにより、隙間を作り出すことが困難になるが、このことは、ユーザが、容器の内側に収納された物品がこぼれ出るリスクを伴うことなく、その容器を持ち上げるか、又は、その容器と共に高所で移動する際、特に有用である。この位置では、第１のインジケータと第２のインジケータとが分離され、ハンドル取り付け部は、少なくとも部分的に整合することも、又は重なり合うこともなく、締結部材１２４’が、より強固な接続を作り出すことにより、同じく互いに直接対向せずに、互いに対してずらされているハンドルを単純に使用することによって、この閉鎖システムを開放することは、困難なものとなる。このことは、この閉鎖システムの開放の困難性に寄与するものである。ユーザは、この閉鎖を分離して開放するために、頂部の近位で、この閉鎖システムの隅角部又は端部から引き剥がすことが必要とされる。このことにより、内部に内容物を固定しつつ、容器を持ち上げて運搬するための、安全な方法がもたらされる。
【００５８】
図１６〜図１８に示されるように、任意選択的な挿入具１４０もまた、これらの実施形態のうちのいずれかで使用することが可能である。挿入具１４０は、空洞部１０９内部に適合するように構成及び配置されており、好ましくは、ハードボード又は任意の他の好適な半剛性若しくは剛性材料で作製された支持部材１４１を含む。支持部材１４１は、第１の締結具（例えば、フック部分）１４３が接続されている第１の端部１４２と、第２の締結具（例えば、ループ部分）１４５が接続されている第２の端部１４４とを有する、概して矩形の形状である。第１の端部１４２と第２の端部１４４との間には、ナイロン又は他の好適な材料で作製された複数のポケット１４６が、作動的に接続されている。複数のポケット１４６は、ガセット部分１４７及びバインダ材料１４８を含み得る。複数のポケット１４６は、支持部材１４１に対して内側又は外側のいずれかに面するように、位置決めすることが可能である。挿入具１４０により、本体の空洞部１０９内部で、更なる物品を整理することが可能となる。
【００５９】
別の実施形態の工具容器アセンブリ２００を、図２１、図２２に示す。工具容器アセンブリ２００は、底部２０２、側部２０７、及び頂部２０８を有する本体２０１を含む。底部２０２、側部２０７、及び頂部２０８は、頂部２０８によって形成された開口部を通じてアクセス可能な空洞部２０９を形成する。リム２１９が、頂部２０８及びその開口部に構造を提供する助けとなるように、頂部２０８に作動的に接続されている。側部２０７のスリーブ状拡張部である拡張部分２１７は、頂部２０８に作動的に接続されており、遠位端部分２１８を含み、この遠位端部分２１８は、この実施形態では、チャネル２１８ａを形成するように、それ自体の上に折り返され、縫製によって固定されている。底部支持体２１０は、底部２０２と側部２０７とを相互接続するために使用することができ、このアセンブリの底部の近位を補強するために使用することができる。
【００６０】
底部２０２は、底部１０２と同様であり、いくつかの層を含み得るものであり、底部支持体２１０は、内側層及び外側層を含み得る。側部２０７、頂部２０８、及び拡張部分２１７もまた、キャンバスで作製することが可能である。リム２１９は、好ましくは、側部２０７の頂部折り返し縁部内に位置決めされており、限定するものではないが、この容器の頂部を比較的剛性にする、約１インチ（２．５センチメートル）の幅の、成型プラスチック、ナイロン管材、鋼、又は木材などの、任意の好適な材料とすることができる。所望される耐久性に従って、種々の材料で作製された、より少ない層又はより多くの層を、これらの構成要素のうちのいずれかに関して使用可能である点が認識されよう。
【００６１】
好ましくはウェビング又はロープで作製された、細長部材２１１は、第１の端部２１２と第２の端部２１３とを相互接続する中間部分２１４を含む。側部２０７の一方の側面の近位では、第１の補強部材２１２ａを、頂部２０８の近位の側部２０７に作動的に接続することができ、側部２０７の対向側面の近位では、第２の補強部材２１３ａを、頂部２０８の近位の側部２０７に作動的に接続することができる。補強部材２１２ａ及び補強部材２１３ａは、端部２１２及び端部２１３が接続されている、より強固な区域を提供する。例えば、補強部材２１２ａ及び補強部材２１３ａは、レザーなどの、より強固な材料で作製することができ、対応の端部２１２及び端部２１３が挿通される開口を含み得るものであり、それらの端部は、次いで、好ましくは縫製又は任意の他の好適な固定部材によって、それらの端部自体に固定されることによりループを形成し、このループを通って、リム２１９が延在する。接続具２１５、例えばカラビナを、中間部分２１４に接続することにより、このアセンブリを、ホイストライン、係留構造体などに接続する方法を提供することができる。
【００６２】
図２２に示されるように、第１のハンドル２２１が、遠位端部分２１８の第１の外側面に、作動的に接続されており、第２のハンドル２２２が、遠位端部分２１８の、概して対向する第２の外側面に、作動的に接続されている。ハンドル２２１及びハンドル２２２、あるいは細長部材２１１を使用して、このアセンブリを持ち運ぶことが可能である。
【００６３】
この実施形態での締結部材２２４は、第１のハンドル２２１の近位の、チャネル２１８ａへのアクセスを実現する開口部を通って、チャネル２１８ａを経由する、引き紐２２５を含む。引き紐２２５の端部は、開口部を通って外向きに延び、係合部材２２６を介して、第１のハンドル２２１及び拡張部分２１７に作動的に接続されている。係合部材２２６は、それらの端部が経由する２つのチャネルを形成する、スリーブ部であり、引き紐２２５の遠位端は、止め部材２２５ａで一体に固定されている。２つのチャネルの間の縫製により、係合部材２２６は、第１のハンドル２２１及び拡張部分２１７に固定されている。これらの２つのチャネルは、引き紐２２５に対して摩擦をもたらすように構成及び配置されていることにより、係合部材２２６を介して引き紐２２５を移動させるためには、所望の量の力が必要となる。締結部材２２４はまた、フック部材２３２及びリング部材２３３を含む係止部材２３１も含む。フック部材２３２は、第１のハンドル２２１に作動的に接続されており、リング部材２３３は、第２のハンドル２２２に作動的に接続されている。
【００６４】
締結部材２２４は、拡張部分２１７の遠位端部分２１８によって形成される開口部２２８を、図３０に示される開放位置２２７と、閉鎖位置との間で位置決めするために使用される。開放容易位置（図示せず）と、図３１に示される開放困難位置２２９ｂとの、２つの閉鎖位置が存在する。開放位置では、この開口部は、空洞部２０９へのアクセスを提供する。閉鎖位置では、この開口部は、締結部材２２４によって概ね閉鎖されることにより、空洞部２０９へのアクセスを妨げる。
【００６５】
より具体的には、閉鎖位置では、引き紐２２５が引かれて、チャネル２１８ａ内部の引き紐２２５の量が低減されることにより、拡張部分２１７の頂部が寄せ集められるか、又は締め付けられる。開口部は、この閉鎖位置では著しく縮小されるが、この縮小された開口部は、比較的小さい間隙２３０を形成し得る。係合部材２２６と引き紐２２５との摩擦は、このアセンブリに対して殆ど又は全く力が加えられない状態で、係合部材２２６を介して引き紐２２５が移動することを防止するために役立つ。これは、開放容易位置である。このアセンブリを開放困難位置２２９ｂに位置決めするために、図３１に示されるように、フック部材２３２が、リング部材２３３に係合する。拡張部分２１７を開放位置へと位置決めするためには、
【００６６】
このアセンブリを、開放困難位置２２９ｂから開放容易位置に移動させるために、フック部材２３２を、リング部材２３３から接続解除する。この開放容易位置から、そのアセンブリを開放位置２２７に移動させるために、ユーザは、間隙２３０の対向側面の近位に、両手からの指を挿入して引っ張ることができ、又は、ユーザは、ハンドル２２１及びハンドル２２２を、互いから離れる方向に引っ張ることもできる。
【００６７】
任意選択的な取り付け部材２３６は、好ましくは、任意の好適な工具用ランヤードを接続することが可能なリング又はフックである係合部分２３７と、好ましくは、ナイロンのウェビング又は弾性材料であり、係合部分２３７と本体２０１、好ましくは側部２０７の内側表面とを相互接続するストラップ２３８とを含む。この取り付け部材２３６を、図２７及び図２８に示す。
【００６８】
全般的に、これらの実施形態の様々な特徴部は、互換性のものとすることが可能であり、また、これらの実施形態は、所望されるスタイル及び耐久性に応じた、材料の柔軟性を提供するものである。例えば、この工具容器アセンブリの本体は、様々な材料で作製することが可能であり、材料の例としては、キャンバス、ダックキャンバス、ビニール、ナイロン、ポリエステル、合成レザー、レザー、耐ＵＶ性を有するか若しくは有さない材料、ＦＲ定格材料、及び極端気象用の材料が挙げられる。更には、これらの材料は、任意の所望の厚さ及び重量とすることができる。更には、この工具容器アセンブリの底部は、その底部に剛性を追加して、鋭利な物体又は先の尖った物体が容器内に投げ込まれた場合にも、穿刺されることを防止するための、外装材料の上に定置された硬質本体材料を含み得る。この硬質本体材料の上に、内装材量を定置することにより、外装材料と内装材量との間に、その硬質材料を挟み込んだまま保持することができる。これらの外装材料及び内装材量は、工具容器アセンブリの本体に関して列挙されたものなどの、任意の好適な材料とすることができる。更には、一般には持ち上げ用ストラップである細長部材は、好ましくはナイロンのウェビング材料であるが、ポリエステルのウェビング、紐、ロープ、レザー、及び他の好適な材料などの、他の好適な材料を使用することも可能である。この持ち上げ用ストラップは、フック、リング、又は他の好適な接続具とすることが可能な接続具を使用して、このアセンブリを持ち上げるために使用される。この接続具は、アルミニウム、鋼、ステンレス鋼、又は他の好適な材料で作製することが可能である。この接続具は、任意選択的なものとすることができる。
【００６９】
上記の仕様、実施例、及びデータは、本発明の実施形態の構成の製造及び使用の完全な説明を提供するものである。本明細書では、特定の実施形態が示され説明されてきたが、これらの図示された特定の実施形態を、同じ目的を達成するように企図された任意の配置構成で置き換えることができる点が、当業者には理解されるであろう。本出願は、本発明のあらゆる改作又は変法を包含することが意図される。それゆえ、本発明は、特許請求の範囲及びその等価物によってのみ限定されることが明白に意図される。
【図１】
2017534470.tif 000003
【図２】
2017534470.tif 000004
【図３】
2017534470.tif 000005
【図４】
2017534470.tif 000006
【図５】
2017534470.tif 000007
【図６】
2017534470.tif 000008
【図７】
2017534470.tif 000009
【図８】
2017534470.tif 000010
【図９】
2017534470.tif 000011
【図１０】
2017534470.tif 000012
【図１１】
2017534470.tif 000013
【図１２】
2017534470.tif 000014
【図１３】
2017534470.tif 000015
【図１４】
2017534470.tif 000016
【図１５】
2017534470.tif 000017
【図１６】
2017534470.tif 000018
【図１７】
2017534470.tif 000019
【図１８】
2017534470.tif 000020
【図１９】
2017534470.tif 000021
【図２０】
2017534470.tif 000022
【図２１】
2017534470.tif 000023
【図２２】
2017534470.tif 000024
【図２３】
2017534470.tif 000025
【図２４】
2017534470.tif 000026
【図２５】
2017534470.tif 000027
【図２６】
2017534470.tif 000028
【図２７】
2017534470.tif 000029
【図２８】
2017534470.tif 000030
【図２９】
2017534470.tif 000031
【図３０】
2017534470.tif 000032
【図３１】
2017534470.tif 000033
【国際調査報告】
2017534470.tif 000034
2017534470.tif 000035
2017534470.tif 000036